(57)【要約】      （修正有）【課題】高齢者等にとって装着や取り外しが容易で、特に就寝時において自身の一方の膝に他方の膝居が突き当たることによる痛みの発生を緩和して十分な睡眠を確保できるようにした膝痛緩和膝当てを提供する。【解決手段】展開平面が大略矩形状を有し、膝部の周囲の大部分を包むサイズとされた柔軟な織布の上布と下布からなり、その一辺の少なくとも一部が開放され、対向する第一辺と第二辺の２辺に相互に容易着脱可能な面ファスナー４、５を取り付けた袋状本体１と、袋状本体の内部に収納されて、最大でも袋状本体の空間容積を満たす容積をもち、一端に空気充填・排気口３を持つ気密性の空気袋２を有する。【選択図】図１
0003185003.tif 000002
【実用新案登録請求の範囲】
【請求項１】
膝の所定位置を覆って着脱自在に巻き付け、両膝同士の衝突などの外力の印加に起因する痛みを積極的に緩和する膝痛緩和膝当てであって、
展開平面が大略矩形状を有し、膝部の周囲の大部分を包むサイズとされた柔軟な織布からなり、その一辺の少なくとも一部が開放され、対向する第一辺と第二辺の２辺に前記に相互に容易着脱可能な面ファスナーを取り付けた袋状本体と、
前記袋状本体の内部に収納されて、最大でも当該袋状本体の空間容積を満たす容積をもち、一端に空気充填・排気口を持つ気密性の空気袋を有し、
前記袋状本体が、略矩形の上布と下布を重ね合わせてその中央領域の第一辺と第二辺及び第三辺の３辺に縫い目を有して、当該縫い目で囲まれた内側領域に前記空気袋を収容する袋部を形成してなり、
前記３辺の縫い目の対向する２辺である第一辺と第二辺の縫い目の外側に前記面ファスナーを取り付けてなることを特徴とする膝痛緩和膝当て。
【請求項２】
請求項１において、
前記３辺の縫い目の第一辺と第二辺の２辺を連結する縫い目がある第三辺の対向辺である第四辺は開放されて前記袋部の開口部を形成してなり、この開口部で前記空気袋の出し入れを行う構造としたことを特徴とする膝痛緩和膝当て。
【考案の詳細な説明】
【技術分野】
【０００１】
本考案は、膝当てに係り、特に、就寝時に両膝同士が突き当たることによる痛みを緩和して十分な睡眠を確保するための取り扱いが簡便な膝痛緩和膝当てに関する。
【背景技術】
【０００２】
高齢者や膝周りに障害をもつ者（以下、高齢者等と言う）が用いる膝サポーターとも称する膝当てとして市販されているものは、厚手の布などを筒状として足先からは膝まで履き上げて装着するものが殆どである。膝痛には、膝自体の内部疾患による痛みに限らず、外からの軽い衝撃でも痛みを発するものがある。特に、一方の膝が他方の膝居に当たるってことで強い痛みを感じる膝痛もある。このような外部衝撃による膝居痛は患者自身の体験でしか容易に分かり得ないことである。特に、高齢者の膝痛には、就寝時に地震の膝同士の突き当たりで痛みが生じ、睡眠の妨げになる事例が多くある。
【０００３】
外力を緩和するための厚手のクッション等を備えたものは、膝部への固定構造が大げさな構造であり、また、筒状のものでは足先に手を伸ばすことも困難な者などにとっては使い辛く、装着に手間がかかるものである。市販の膝当ては、主として装着した膝の内部を保護する機能に重点が置かれており、高齢者等が自身で容易に装着でき、両膝同士の衝突などの比較的軽微な外力の印加に起因する痛みを積極的に緩和する点について十分な考慮がなされているものを容易に入手することは難しい。
【０００４】
この種の膝当てを開示した先行技術文献としては、特許文献１、特許文献２、特許文献３、特許文献４などを挙げることができる。
【先行技術文献】
【特許文献】
【０００５】
【特許文献１】実用新案登録第３１５６７９０号
【特許文献２】実用新案登録第３１０９４６２号
【特許文献３】実用新案登録第３１４８６５９号
【特許文献４】特開２００８−１８１７４号公報
【考案の概要】
【考案が解決しようとする課題】
【０００６】
本考案の目的は、高齢者等にとって装着や取り外しが容易で、特に就寝時において自身の一方の膝に他方の膝が突き当たること等による痛みの発生を緩和して十分な睡眠を確保できるようにした膝痛緩和膝当てを提供することにある。
【課題を解決するための手段】
【０００７】
本考案は、膝痛緩和膝当てが市販の関節サポーターなどに用いられる柔軟かつ丈夫な織布からなり、その展開平面が大略矩形状を有し、膝部の周囲の大部分を包むサイズとされ、１辺の少なくとも一部が開放され、対向する２辺（第一辺と第二辺）の表面側に相互に容易着脱可能な面ファスナー（所謂、マジックテープ：商標名）を１対または複数対取り付けた袋状本体と、この袋状本体の内部に収納されて、最大でも当該袋状本体の空間容積を満たす容積を持つ気密性の空気袋とで構成される。そして、前記空気袋は、ゴム剤、ウレタン樹脂材、シリコーン樹脂材などの弾性材料で構成され、その一端に空気充填・排気口を設けてある。
【０００８】
また、本考案は、前記袋状本体が、略矩形の上布と下布を重ね合わせてその中央領域の３辺に縫い目を有して、当該縫い目で囲まれた内側領域に袋部を形成してなり、前記３辺の縫い目の対向する２辺（第一辺と第二辺）の縫い目の外側に前記面ファスナーを取り付けて構成する。
【０００９】
また、本考案は、前記３辺の対向する二辺（第一辺と第二辺）を連結する第三辺の対向辺である第四辺は開放されて前記袋部の開口部を形成してなり、この開口部で前記空気袋の出し仕入れを行う構造とすることができる。
【００１０】
また、本考案は、前記３辺の縫い目を連結する第三辺の対向辺（第四辺）に前記袋状本体の上布と下布を閉じる線ファスナーあるいはホックなどを設ける構造とすることができる。
【００１１】
また、前記３辺の縫い目の第一辺と第二辺を連結する縫い目（第三辺）の対向辺（第四辺）にマチ（当て布）を設けてもよい。そして、このマチを線ファスナーあるいはホックなどで前記袋状本体に開口可能または着脱可能に設けることもできる。
【考案の効果】
【００１２】
高齢者等は、足先に手を伸ばすことなく、自身で膝痛緩和膝当ての膝への装着や取り外しを容易に行うことができ、外力印加による膝痛を大幅に緩和でき、特に就寝時の膝同士の当接による痛みを緩和し、十分な睡眠をとることができる。
【００１３】
なお、本考案に係る膝痛緩和膝当ては、一方の膝にのみ装着することでも膝同士の衝突による膝痛を緩和する効果がある。
【図面の簡単な説明】
【００１４】
【図１】本考案に係る膝痛緩和膝当ての実施例を説明する大略平面図である。
【図２】本考案に係る膝痛緩和膝当ての実施例を説明する図１のＡ−Ａ’断面図である。
【図３】本考案に係る膝痛緩和膝当ての実施例２の説明図で、図１の矢印Ｂ方向から見た側面図である。
【図４】本考案に係る膝痛緩和膝当ての実施方法を示す説明図である。
【考案を実施するための形態】
【００１５】
以下、本考案の実施の携帯につき、図面を参照した実施例により詳細に説明する。
【実施例１】
【００１６】
図１は、本考案に係る膝痛緩和膝当ての実施例１を説明する大略平面図である。また、図２は、図１のＡ−Ａ’断面図である。図１−３において、符号１は袋状本体部、１ａは上布、１ｂは下布を示す。上布１ａと下布１ｂをその３辺（対向する第一辺と第二辺、及び第一辺と第二辺を連結する第三辺）の縫い目６で縫い合わせることで袋状本体部１を形成する。実施例１では、残りの辺（第三辺と対向する第四辺）は開放端とされている。なお、第四辺の開放部分以外の上布と下布の外側を適宜に縫って両者を一体に固定するが、図示は省略した。符号２は空気袋、３は空気充填・排気口、４は一方の面ファスナー、５は他方の面ファスナーを示す。一方の面ファスナー４の結合面４aを他方の面ファスナー５の結合面５aに張り合わせることで両者は着脱可能に固定される。
【００１７】
実施例１では、一方の面ファスナー４と他方の面ファスナー５は縫い目６近傍から外側で上布に取り付けられているが、取り付け位置はこれに限るものではない。また、他方の面ファスナー５も袋状本体の上布に設けてあるが、これに限らない。袋状本体部１の内部に空気袋２が収納される。空気袋２の空気充填・排気口３は袋状本体部１の第四辺に位置し、外部からの空気の出し入れが可能になっている。
【００１８】
袋状本体１の上面に中央目印１０が設けられている。この中央目印１０は、膝の保護する部分の中央を示すもので、図示した線状に限らず、丸印、突起などでもよいことは言うまでもない。
【００１９】
本実施例では、空気袋２の空気充填・排気口３は管状で示されているが、空気袋２の適宜の部分に臍状に設けたものとしてもよい。何れの場合も押し込み型の栓、バスケットボールやバレーボールなどに用いられている針穿孔ゴム栓、など、既知の逆止弁機能を備えさせることが望ましい。空気袋２の空気充填・排気口３は管状として使用者が口から空気を吹き込めるようにするのが好適である。空気充填・排気口３を管状とし、クリップ留めとすることも可能である。
【００２０】
本実施例によれば、高齢者等でも、足先に手を伸ばすことなく、自身で膝痛緩和膝当ての膝への装着や取り外しを容易に行うことができ、外力印加による膝痛を大幅に緩和でき、特に就寝時の膝同士の当接による痛みを緩和し、十分な睡眠をとることができる。
【実施例２】
【００２１】
図３は、本考案に係る膝痛緩和膝当ての実施例２の説明図で、図１の矢印Ｂ方向から見た側面図である。実施例２では、袋状本体部１の第四辺にマチ７を設けて空気袋２を袋状本体部１の内部に閉じ込めたものである。マチ７に穴を開けて管状とした空気充填・排気口３を出し入れするようにすることができる。
【００２２】
本実施例によれば、実施例１の効果に加えて、空気充填・排気口３を袋状本体１の外部に取り出して容易に空気を吹き込むことができる。
【実施例３】
【００２３】
本実施例では、実施例２で説明したマチ７に線ファスナーやホック留めを用いて袋状本体１に取り付ける構造とした。仮に、空気袋２が破損した場合に、袋状本体１から空気袋２を取り出して修理し、または交換できるようにした。
【００２４】
本実施例によれば、実施例２の効果に加えて、空気袋２を袋状本体１から取り出して修理や交換が容易で、袋状本体１のみを洗濯することができる。
【実施例４】
【００２５】
上記した実施例１、２、３の構造を適宜組み合わせて、各実施例の機能を総合的に有する膝痛緩和膝当てを実現する。
【００２６】
本実施例によれば、実施例２の効果に加えて、空気袋２を袋状本体１から取り出して修理や交換が容易で、袋状本体１のみを洗濯することができる。
【００２７】
図４は、本考案に係る膝痛緩和膝当ての実施方法を示す説明図である。図４（ａ）は膝８の膝蓋骨９の部分の中心部外側に本考案の膝痛緩和膝当ての中央目印１０をおき、一方の面ファスナー４を膝８の裏側に引き回して他方の面ファスナー５に重ねる。そして、一方の面ファスナー４の結合面４aを他方の面ファスナー５の結合面５aに押し当てることで装着する。
【００２８】
図４（ｂ）は膝８の側面部分の外側に本考案の膝痛緩和膝当ての中央目印１０をおき、一方の面ファスナー４を膝８の裏側に引き回して他方の面ファスナー５に重ねる。そして、図４（ａ）と同様にして装着する。
【００２９】
図４（ｃ）は図４（ｂ）とは反対の膝８の側面部分の外側に本考案の膝痛緩和膝当ての中央目印１０をおき、一方の面ファスナー４を膝８の裏側に引き回して他方の面ファスナー５に重ねる。そして、図４（ａ）と同様にして装着する。
【００３０】
以上、図４での説明は、本考案の代表的な実施方法を説明するものであり、膝部への装着位置は使用者の任意である。また、本考案の膝痛緩和膝当ては、膝以外の体部位（足首、肘など）にも使用できることは言うまでもない。
【符号の説明】
【００３１】
１・・袋状本体部、１ａ・・上布、１ｂ・・下布、２・・空気袋、３・・空気充填・排気口、４・・一方の面ファスナー、４a・・結合面、５・・他方の面ファスナー、５a・・結合面、６・・縫い目、７・・マチ、８・・膝、９・・膝蓋骨、１０・・目印。
【図１】
0003185003.tif 000003
【図２】
0003185003.tif 000004
【図３】
0003185003.tif 000005
【図４】
0003185003.tif 000006